(57)【要約】【課題】電子部品等における配線ケーブルの位置と配線引出し口の位置とを物理的に合わせるための改造を不要とし、かつコストの削減及び開発期間の短縮を可能とする防水筐体の配線引出し構造を提供する。【解決手段】筐体カバー１及び筐体本体２の配線引出し口３，４を、防水筐体５０の高さ方向に対してそれぞれ異なる位置になるようにこれらの接合面に設け、配線引出し口３，４間の接合面である組合せ傾斜部１４の形状を、配線引出し口３，４間で傾斜部を有する直線または曲線とするように構成する。【選択図】        図１
2004356267.tif 000002
【特許請求の範囲】
【請求項１】
電子部品を収納する開口面を有する第１の筐体部品と、該第１の筐体部品を互いの接合面により接合して開口面を覆う第２の筐体部品とを備え、前記電子部品に取り付けられた配線ケーブルを、配線引出し口から外部に引き出して成る防水筐体の配線引出し構造において、前記配線引出し口を、防水筐体の高さ方向に対してそれぞれ異なる位置になるように、前記第１または／および第２の筐体部品の接合面に複数設け、前記それぞれ隣り合う配線引出し口間における第１の筐体部品と第２の筐体部品との間の接合形状を、傾斜部を有する直線または曲線とするように構成する、ことを特徴とする防水筐体の配線引出し構造。
【発明の詳細な説明】
【０００１】
【発明の属する技術分野】
本発明は、例えば屋外等で使用される防水筐体の配線引出し構造に関する。
【０００２】
【従来の技術】
一般に、屋外等で使用される電気機器は筐体に収納され、その筐体は、内部の電子部品等を保護するために、防水構造が要求される。このような電子部品等が収納される防水筐体においては、内部に収納された電子部品等を保護するために、防水性の向上、筐体本体と筐体カバーとの間のシール性の向上、筐体歪みの防止、耐久性等の様々な課題を解決した技術が開示されている（例えば、特許文献１〜９参照。）。
【０００３】
また、電気機器によっては、筐体内部の電気機器に接続された配線ケーブルを筐体外部に引き出す必要があり、その引出し構造に着目した技術も開示されている。例えば、筐体本体と筐体カバーとの合わせ面に電線通過孔を設け、当該電線通過孔に貫設された電線パッキン部を、筐体本体と筐体カバーとをシールする防水用パッキンに一体的に設け、電線が貫通する電線貫通孔を電線パッキン部に形成した電気装置防水ケースが開示されている（例えば、特許文献１０参照。）。また、筐体本体と筐体カバーとの接触面をシール剤で密閉し、筐体本体に電線を通すためのガイド溝をパッキンで密閉するように形成した防水ケースが開示されている（例えば、特許文献１１参照。）。
【０００４】
【特許文献１】
特開平８−２００８２号公報
【特許文献２】
特開平８−３４４６７号公報
【特許文献３】
特開平１１−３４６０６４号公報
【特許文献４】
特開平７−３２１４７８号公報
【特許文献５】
特開平１１−８７９４２号公報
【特許文献６】
特開平１０−３２４３６０号公報
【特許文献７】
特開平１０−２２６５８号公報
【特許文献８】
特開平６−１８８５７７号公報
【特許文献９】
特開平８−１０６１２１号公報
【特許文献１０】
特開平８−２２２０１１号公報
【特許文献１１】
特開平１０−２４２６６４号公報
【０００５】
【発明が解決しようとする課題】
しかしながら、従来の防水筐体においては、その構造を単純にするために、筐体内部に収容された電子部品等における配線ケーブル引出し位置と、防水筐体における配線引出し口の位置とを物理的に合わせる必要があった。すなわち、筐体内部から外部に配線ケーブルを引き出しやすくするために、電子部品等における配線ケーブルの取付位置を、防水筐体の配線引出し口の位置に合わせる工夫が必要であった。このため、電子部品等における配線ケーブルの取付位置を筐体の配線引出し口の位置に合わせる改造や、その取付位置の変更に伴う電気回路の改造等が必要となり、そのための開発期間やコストがかかるという問題があった。
【０００６】
本発明は、上記の問題を解決するためになされたものであり、その目的は、電子部品等を収納した筐体の内部から外部に配線ケーブルを引き出すための配線引出し構造において、電子部品等における配線ケーブルの位置と筐体における配線引出し口の位置とを物理的に合わせるための改造を不要とし、かつコストの削減及び開発期間の短縮を可能とする防水筐体の配線引出し構造を提供することにある。
【０００７】
【課題を解決するための手段】
本発明は、上記の目的を達成するために、電子部品を収納する開口面を有する第１の筐体部品と、該第１の筐体部品を互いの接合面により接合して開口面を覆う第２の筐体部品とを備え、前記電子部品に取り付けられた配線ケーブルを、配線引出し口から外部に引き出して成る防水筐体の配線引出し構造において、前記配線引出し口を、防水筐体の高さ方向に対してそれぞれ異なる位置になるように、前記第１または／および第２の筐体部品の接合面に複数設け、前記それぞれ隣り合う配線引出し口間における第１の筐体部品と第２の筐体部品との間の接合形状を、傾斜部を有する直線または曲線とするように構成することを特徴とする。
【０００８】
【発明の実施の形態】
以下、図面を参照して、本発明の実施の形態について詳細に説明する。
図１は、本発明の実施の形態に係る防水筐体の配線引出し構造を説明する分解斜視図である。防水筐体５０は、筐体カバー１と、ねじ１３により筐体カバー１にねじ止めされる筐体本体２とから構成されている。筐体カバー１は、ねじ１３が貫通するねじ孔２０、後述する配線ケーブル７，８を防水筐体５０の内部から外部に引き出すための配線引出し口３，４、及び当該配線引出し口４を先端部に有し両端が傾斜形状を成して筐体本体２と組合わせて接合される凸部２１が設けられている。
【０００９】
筐体本体２は、筐体カバー１をねじ１３によりねじ止めして取り付けるための取付孔２３、配線引出し口３，４、当該配線引出し口４を最下部に有し両端が傾斜形状を成し筐体カバー１の凸部２１に対応して組合わせて接合される凹部２２、当該筐体本体２の開口辺の先端面に沿って筐体カバー１との組合せ面（接合面）に設けられたパッキン２９、及び後述する電子部品５，６を収容して固定するための固定部材２８が設けられている。
【００１０】
尚、ねじ孔２０は、筐体カバー１の四隅に設けられ、これらに対応して取付孔２３も、筐体本体２の四隅に設けられている。また、固定部材２８も後述する電子部品５，６に対応して筐体本体２内部の底面四隅に設けられている。これらのねじ１３により、筐体カバー１が筐体本体２にねじ止めされる。この際、筐体本体２に設けられたパッキン２９が、筐体カバー１と筐体本体２との間で挟み込まれて嵌合し、防水性及び水密性が確保される。また、ねじ止めされる際に、後述する配線ケーブル７，８が筐体カバー１及び筐体本体２の配線引出し口３，４の間で挟み込まれて勘合することによっても、防水性及び水密性が確保される。
【００１１】
図２は、図１の防水筐体に電子部品を搭載する場合について説明する分解斜視図であり、図３は、図２の防水筐体及び電子部品における配線引出し口側から観た側面図である。図２において、電子部品５には配線ケーブル７の一端が所定の箇所に、電子部品６には配線ケーブル８の一端が所定の箇所にそれぞれ取り付けられている。これらの電子部品５，６は、四隅に設けられたそれぞれのねじ孔２５，２７、及び電子部品５，６を連結する連結部材２６を用いてねじ２４により、固定部材２８に取り付けて固定される。そして、上述したように、ねじ１３により、筐体カバー１が筐体本体２にねじ止めされ、配線ケーブル７，８が筐体カバー１及び筐体本体２の配線引出し口３，４の間で挟み込まれて勘合される。この場合、図３に示したように、筐体カバー１の傾斜部９，１０と筐体本体２の傾斜部１１，１２とがそれぞれ組合わされて接合される。
【００１２】
このように、電子部品５，６を防水筐体５０に搭載した場合、電子部品５の配線ケーブル７に対して配線引出し口３を用い、電子部品６の配線ケーブル８に対して配線引出し口４を用いる。また、図３に示したように、筐体カバー１の傾斜部９に対応した筐体本体２の傾斜部１１、及び筐体カバー１の傾斜部１０に対応した筐体本体２の傾斜部１２のような、組合せ面（接合面）に傾斜を持たせている。すなわち、図１〜３に示したように、配線引出し口３，４が防水筐体５０の高さ方向（筐体本体２において筐体カバー１が設けられている方向）に対して異なる位置になるようにオフセットを設けることにより、前記組合せ面に傾斜を持たせることができる。これにより、電子部品の引出し配線ケーブルの位置及び引出し配線ケーブル数を任意に決めることができる。
【００１３】
図４は、防水筐体の配線引出し口における組合せ傾斜部に加えられる力を説明する図である。図４に示すように、筐体カバー１が筐体本体２にねじ止めされることにより、配線ケーブル７，８が引き出された状態で、筐体カバー１及び筐体本体２が組合わされて接合される。この場合、筐体カバー１及び筐体本体２における組合せ傾斜部１４に加わる圧力は、ねじ１３の締め付けによる圧力１５であり、この圧力１５は、組合せ傾斜部１４と水平方向の圧力１６と、組合せ傾斜部１４と垂直方向のパッキン２９を挟み込む圧力１７とに分圧される。この圧力１７によりパッキンの防水効果が得られる。
【００１４】
このように、組合せ傾斜部１４において防水効果を得るために必要な圧力１７を得ることができれば、配線引出し口３，４の間に設けられたオフセットの形状を任意に決めることができる。例えば、図５（ａ）に示すように、組合せ傾斜部１８の形状を直線傾斜の形状にしたり、図５（ｂ）に示すように、組合せ傾斜部１９の形状を湾曲形状にしたりすることができる。いずれの場合も、所定の防水規格に適合して防水効果を得るために必要な圧力が、組合せ傾斜部１８，１９と垂直方向であってパッキン２９を挟み込む方向に加えられているものとする。配線引出し口３，４の間に設けられるオフセットの形状は、かかる圧力を得ることができればどのような形状でも良い。
【００１５】
以上、実施の形態を挙げて説明したが、本発明は上記実施の形態に限定されるものではなく、特許請求の範囲内において種々の変更や応用が可能である。例えば、上述の実施の形態では、２つの配線引出し口３，４により構成したが、本発明の配線引出し口は２つに限定されるものではなく、３つ以上により構成してもよい。また、上述の実施の形態では、配線引出し口３，４を筐体カバー１及び筐体本体２の双方に備えるように構成したが、筐体カバー１または筐体本体２のいずれか一方のみに備えるように構成してもよい。また、上述の実施の形態では、配線引出し口３，４を防水筐体５０の高さ方向に対して異なる位置に設けるようにしたが、高さ方向（垂直方向）及び横方向（水平方向）それぞれともに異なる位置に設けるようにしてもよい。
【００１６】
【発明の効果】
以上説明したように、本発明によれば、分割した筐体部品を組合わせ接合して成る防水筐体において、それぞれ異なる位置に複数の配線引出し口を設けるとともに、配線引出し口間の接合形状（組合わせ形状）を傾斜した直線や曲線等としたことにより、防水機能を維持したまま電子部品を容易に防水筐体内に収納することができる。また、防水筐体に複数の配線引出し口が必要な場合に、配線引出し口間にオフセットを設けるようにしたから、防水筐体の構造にとらわれることなく、自由に電子部品における配線ケーブルの位置等を設計し開発することができる。また、複数の配線引出し口から最も適した配線引出し口を選択できるから、既存の電子部品を改造しないで防水筐体に搭載することができ、これによる製品コストの削減や開発期間の短縮を図ることができる。
【図面の簡単な説明】
【図１】本発明の実施の形態に係る防水筐体の配線引出し構造を説明する分解斜視図である。
【図２】図１の防水筐体に電子部品を搭載する場合について説明する分解斜視図である。
【図３】図２の防水筐体及び電子部品における配線引出し口側から観た側面図である。
【図４】防水筐体の配線引出し口における組合せ傾斜部にかかる力を説明する図である。
【図５】組合せ傾斜部の形状を説明する図である。
【符号の説明】
１  筐体カバー
２  筐体本体
３，４  配線引出し口
５，６  電子部品
７，８  配線ケーブル
９〜１２  傾斜部
１３，２４  ねじ
１４，１８，１９  組合せ傾斜部
１５〜１７  圧力
２０，２５，２７  ねじ孔
２１  凹部
２２  凸部
２３  取付孔
２６  連結部材
２８  固定部材
２９  パッキン
５０  防水筐体
【図１】
2004356267.tif 000003
【図２】
2004356267.tif 000004
【図３】
2004356267.tif 000005
【図４】
2004356267.tif 000006
【図５】
2004356267.tif 000007